(57)【要約】【課題】  ファン、通気孔を設けることなく放熱できるようにすることを目的とする。【解決手段】  液晶表示パネル１と、この液晶表示パネル１の画像表示領域に対応した開口２ａを有する前面筐体２と、この液晶表示パネル１の背面を覆う後面筐体３と、この液晶表示パネル１を固定する金属製フレーム１０とを有し、この後面筐体３より外部金属製固定部材１１に固定するようにした液晶ディスプレイ装置において、金属製フレーム１０をこの外部金属製固定部材１１に接触して固定するようにすると共にこの液晶表示パネル１とこの金属製フレーム１０との間に熱伝導シート１２を挟設したものである。【選択図】        図１ 
2005338178.tif 000002
【特許請求の範囲】
【請求項１】
液晶表示パネルと、
該液晶表示パネルの画像表示領域に対応した開口を有する前面筐体と、
前記液晶表示パネルの背面を覆う後面筐体と、
前記液晶表示パネルを固定する金属製フレームと、
を有し、該後面筐体より外部金属製固定部材に固定するようにした液晶ディスプレイ装置において、
前記金属性フレームを前記外部金属製固定部材に接触して固定するようにすると共に前記液晶表示パネルと前記金属製フレームとの間に熱伝導シートを挟設したことを特徴とする液晶ディスプレイ装置。
【請求項２】
請求項１記載の液晶ディスプレイ装置において、
前記金属製フレームに前記外部金属製固定部材に接触して固定される後方に凸状の取付け台座を設けると共に前記後面筐体に前記取付け台座に対応した開口を設けたことを特徴とする液晶ディスプレイ装置。
【請求項３】
請求項１又は２記載の液晶ディスプレイ装置において、
前記後面筐体を合成樹脂で成形すると共に前記後面筐体に通気孔を設けないことを特徴とする液晶ディスプレイ装置。
【発明の詳細な説明】
【技術分野】
【０００１】
本発明は、バックライトを有する液晶表示パネルを用いた液晶ディスプレイ装置に関する。
【背景技術】
【０００２】
一般に、液晶ディスプレイ装置はバックライトを有する液晶表示パネルを用いており、この液晶表示パネルはこのバックライトによる発熱が生じる。この発熱により、この液晶表示パネルの温度が上昇し、この液晶表示パネルの温度が、保障温度を超えてしまうと液晶ディスプレイ装置の画像に支障をきたす虞があった。
【０００３】
そこで従来、特許文献１に記載の如く後面筐体に通気孔を設けたり、図２に示す如くファンを取り付けて強制的に空気の流れを作り、この液晶表示パネルの温度上昇を抑えるようにしていた。
【０００４】
図２につき説明するに、図２において、１はバックライトを有する液晶表示パネルを示し、この液晶表示パネル１の前面側にこの液晶表示パネル１の画像表示領域に対応した開口２ａを有する合成樹脂より成る前面筐体（ベゼル）２を設けると共にこの液晶表示パネル１の後面側に、この液晶表示パネル１の背面を覆う合成樹脂より成る後面筐体３を設ける。
【０００５】
４は液晶表示パネル１等を前面筐体２及び後面筐体３より成る液晶ディスプレイ筐体内に固定する金属製のフレームを示す。また５は固定用スタンドを示し、この固定用スタンド５に後面筐体３、金属製フレーム４を介して、この液晶ディスプレイ筐体を固定する如くする。
【０００６】
この図２の従来例においては後面筐体３の下側及び上側に夫々通気孔６ａ及び６ｂを設けると共に上側通気孔６ｂの近傍の金属製フレーム４にファン７を固定し、このファン７により、下側通気孔６ａより空気を吸入し、上側通気孔６ｂより排気する強制的な空気の流れを作り液晶表示パネル１の温度上昇を抑えるようにしている。
【特許文献１】特開２００４−１０９３９６号公報
【発明の開示】
【発明が解決しようとする課題】
【０００７】
然しながら、強制的に空気の流れを作るためにファン７を設けたときは、このファン７により騒音が発生する不都合があると共にコストアップとなる不都合があった。
【０００８】
また後面筐体３に通気孔６ａ，６ｂを設けるときは埃が液晶ディスプレイ筐体内に入り込む不都合があり、またこの液晶ディスプレイ装置を医療用モニターとして使用する場合、この通気孔６ａ，６ｂより薬品（例えばアルコール）等の液晶ディスプレイ筐体内への侵入することとなり、この医療用モニター等は通気孔を設けないことが望まれている。
【０００９】
本発明は斯る点に鑑み、ファン、通気孔を設けることなく放熱できるようにすることを目的とする。
【課題を解決するための手段】
【００１０】
本発明液晶ディスプレイ装置は液晶表示パネルと、この液晶表示パネルの画像表示領域に対応した開口を有する前面筐体と、この液晶表示パネルの背面を覆う後面筐体と、この液晶表示パネルを固定する金属製フレームとを有し、この後面筐体より外部金属製固定部材に固定するようにした液晶ディスプレイ装置において、この金属製フレームをこの外部金属製固定部材に接触して固定するようにすると共にこの液晶表示パネルとこの金属製フレームとの間に熱伝導シートを挟設したものである。
【発明の効果】
【００１１】
本発明によれば金属製フレームを外部金属製固定部材に接触して固定するようにすると共に液晶表示パネルと金属製フレームとの間に熱伝導シートを挟設したので、この液晶表示パネルの熱が熱伝導シート、金属製フレーム、外部金属製固定部材を介して外気に放出され液晶表示パネルの発熱をファン、通気孔を用いることなく放熱することができる。
【発明を実施するための最良の形態】
【００１２】
以下、図１を参照して本発明液晶ディスプレイ装置を実施するための最良の形態の例につき説明する。この図１において図２に対応する部分には同一符号を付して示す。
【００１３】
図１例において、１はバックライトを有する液晶表示パネルを示し、この液晶表示パネル１の前面側に、この液晶表示パネル１の画像表示領域に対応した開口２ａを有する合成樹脂より成る前面筐体２を設けると共にこの液晶表示パネル１の後面側にこの液晶表示パネル１の背面を覆う合成樹脂より成る後面筐体３を設ける。
【００１４】
図１において、１０は後面筐体３内の液晶表示パネル１の後面側に設けた金属製フレームを示し、この金属製フレーム１０は液晶表示パネル１等を前面筐体２及び後面筐体３より成る液晶ディスプレイ筐体内に固定するのに使用される。
【００１５】
本例においては、この金属製フレーム１０の後面側の所定位置に所定形状の後述する金属製の固定用スタンド１１に接触して固定される後方に凸状の取付け台座１０ａを設ける。
【００１６】
また、本例においては、後面筐体３のこの金属製フレーム１０の取付け台座１０ａに対応する位置にこの取付け台座１０ａを貫通する開口３ａを設ける如くする。また本例においてはこの後面筐体３には通気孔を設けない。
【００１７】
本例においては、この金属製フレーム１０の取付け台座１０ａに金属製固定用スタンド１１の支持棒１１ａを直接接触して固定する。１１ｂはこの金属製固定用スタンド１１の支持台である。
【００１８】
また、本例においては、この液晶表示パネル１の後面と金属製フレーム１０との間にシリコン製熱伝導シート１２を挟設する如くする。この場合シリコン製熱伝導シートが液晶表示パネル１の後面及び金属製フレーム１０に夫々密着する如くする。この液晶ディスプレイ装置は、その他は従来と同様に構成する。
【００１９】
本例においては金属製フレーム１０の取付け台座１０ａを金属製固定用スタンド１１に接触して固定すると共に液晶表示パネル１の後面と金属製フレーム１０との間にシリコン製熱伝導シート１２を挟設したので、この液晶表示パネル１のバックライトによる熱がシリコン製熱伝導シート１２、金属製フレーム１０及び金属製固定用スタンド１１を介して外気に放出され、液晶表示パネル１の発熱をファン、通気孔を用いることなく放熱することができる。
【００２０】
本例によれば通気孔を設けることなく液晶表示パネル１の発熱を放熱することができるので、通気孔を設けないことが望まれる医療用モニター等に本例による液晶ディスプレイ装置を適用して好適である。
【００２１】
尚上述例では金属製固定用スタンド１１に金属製フレーム１０を接触して固定した例につき述べたが、この代わりに金属製のＶＥＳＡマウントアーム等外部金属製固定部材に金属製フレーム１０を接触して固定するようにしても良いことは勿論である。
【００２２】
上述例ではシリコン製熱伝導シートを使用したが、この代わりに、その他の熱伝導シートを使用しても良いことは勿論である。
【００２３】
また、本発明は上述例に限ることなく本発明の要旨を逸脱することなくその他種々の構成が採り得ることは勿論である。
【図面の簡単な説明】
【００２４】
【図１】本発明液晶ディスプレイ装置を実施するための最良の形態の例を示す断面図である。
【図２】従来の液晶ディスプレイ装置の例の断面図である。
【符号の説明】
【００２５】
１‥‥液晶表示パネル、２‥‥前面筐体、２ａ，３ａ‥‥開口、３‥‥後面筐体、１０‥‥金属製フレーム、１０ａ‥‥取付け台座、１１‥‥金属製固定スタンド、１２‥‥シリコン製熱伝導シート
【図１】
2005338178.tif 000003
【図２】
2005338178.tif 000004